(57)【要約】【課題】留守番電話機能と連動したセキュリティ機能を備える電話機において、簡単な構成により、電話回線を使用することなく、遠隔地にいるユーザに外部装置による検出結果を報知すること、イベント毎に規定された連絡先にその旨を報知すること等。【解決手段】コードレス電話機１００は親機１００Ａと子機とを有し、親機１００Ａは、子機１００Ｂと無線通信を行う無線部１０４と、電話回線を介して通信を行う電話回線Ｉ／Ｆ１１０と、ＩＰ通信Ｉ／Ｆ１０６と、外部装置８１０，８２０等に設けられたセンサ８１６，８２６による検出結果に応じた信号が入力される外部Ｉ／Ｆ１９１と、外部装置の信号を検出する検出部１９０と、留守番電話機能が有効時に、検出部１９０の検出結果を基に予め規定されたメールアドレス宛に、前記検出結果に対応した電子メールをＳＭＴＰによりＩＰ通信Ｉ／Ｆ１０６を介して送信する処理を行う制御部１７０とを有する。【選択図】図２
2008042413.tif 000002
【特許請求の範囲】
【請求項１】
留守番電話機能を備える親機と、無線通信により前記親機を介して通話可能な子機とを有するコードレス電話機であって、
前記親機は、
前記子機と無線通信を行う親機側無線部と、
電話回線を介して通信を行う電話回線インタフェースと、
所定の伝送フォーマットでデータをネットワーク伝送可能なＩＰ通信ネットワークインタフェースと、
少なくとも外部装置に設けられたセンサによる検出結果に応じた信号が入力される外部インタフェースと、
前記外部インタフェースを介して前記外部装置から入力された信号を検出する検出部と、
前記留守番電話機能が有効時に、前記検出部の検出結果に基づいて、予め規定されたメールアドレス宛に、前記検出結果に対応した電子メールをＳＭＴＰにより前記ＩＰ通信ネットワークインタフェースを介して送信する処理を行う制御部と
を有することを特徴とするコードレス電話機。
【請求項２】
前記ＩＰ通信ネットワークインタフェースは、ハードウェア固有の物理アドレスを示す識別情報を有し、当該識別情報を基に搬送波感知多重アクセス／衝突検出方式により通信制御を行うことを特徴とする請求項１に記載のコードレス電話機。
【請求項３】
前記外部装置は、少なくとも撮像センサ、人感センサ、温度センサ、ガス検出センサ、スイッチのいずれかを前記センサとして備えることを特徴とする請求項１または請求項２に記載のコードレス電話機。
【請求項４】
前記外部装置は、前記センサとしての撮影部と、前記撮像手段により撮像された画像を前記親機に送信するインタフェースとを有し、
前記親機の制御部は、前記外部装置から受信した画像を添付した電子メールを、ＳＭＴＰにより前記ＩＰ通信ネットワークインタフェースを介して送信する処理を行うことを特徴とする請求項１または請求項２に記載のコードレス電話機。
【請求項５】
前記子機は、前記親機と無線通信を行う子機側無線部と、センサと、前記センサによる検出結果に応じた信号を前記子機側無線部を介して前記親機に送信する処理を行う制御部とを有し、
前記親機の制御部は、前記親機側無線部を介して前記子機から受信した前記センサの検出結果に基づいて、予め規定されたメールアドレス宛に、前記検出結果に対応した電子メールをＳＭＴＰにより前記ＩＰ通信ネットワークインタフェースを介して送信する処理を行うことを特徴とする請求項１または請求項２に記載のコードレス電話機。
【請求項６】
前記子機の制御部は、該子機に設けられた撮影部により生成された画像を前記子機側無線部を介して前記親機に送信する処理を行い、
前記親機の制御部は、前記子機から受信した画像を添付した電子メールを、ＳＭＴＰにより前記ＩＰ通信ネットワークインタフェースを介して送信する処理を行うことを特徴とする請求項５に記載のコードレス電話機。
【請求項７】
前記子機は、前記親機と無線通信を行う子機側無線部と、
前記子機側無線部を介して前記親機から受信した制御信号に応じた表示を行う表示部とを有し、
前記親機の制御部は、前記処理に係る表示を行わせる制御信号を前記親機側無線部を介して前記子機に送信する処理を行うことを特徴とする請求項１または請求項２に記載のコードレス電話機。
【請求項８】
前記制御部は、前記電話回線インタフェースを介して、前記電子メールの送信指示を示す信号を受信した場合に、前記留守番電話機能に係る内容を示す電子メールを送信する処理を行うことを特徴とする請求項１または請求項２に記載のコードレス電話機。
【請求項９】
前記制御部は、前記電話回線インタフェースを介して、前記電子メールの送信指示を示す信号を受信した場合に、前記留守番電話機能に係る内容を示す電子メールを送信する処理を行うことを特徴とする請求項１または請求項２に記載のコードレス電話機。
【請求項１０】
前記電話回線インタフェースは、アナログ信号により公衆電話回線網を介して通信を行うことを特徴とする請求項１から請求項９のいずれかに記載のコードレス電話機。
【請求項１１】
前記親機及び子機は、デジタル無線方式により無線通信を行うとともに、通信周波数を規定周期で切り替える周波数ホッピング方式により無線通信を行うことを特徴とする請求項１から請求項１０のいずれかに記載のコードレス電話機。
【請求項１２】
前記制御部は、前記外部装置又は子機から受信した画像データ又は音声データを、前記ＩＰ通信ネットワークインタフェースを介してサーバ装置に送信して、当該サーバ装置に登録する処理を行うことを特徴とする請求項１に記載のコードレス電話機。
【請求項１３】
少なくとも前記検出部、前記制御部、および前記電話回線インタフェースを備えるコードレス電話メイン機能部と、
前記ＩＰ通信ネットワークインタフェース、およびＳＭＴＰにより電子メールを送信する処理を行う処理部を備えるＩＰ通信インタフェース機能部と、を有し、
前記制御部が、前記コードレス電話メイン機能部と前記ＩＰ通信インタフェース機能部とを協働させて前記電子メールの送信に係る処理を行うことを特徴とする請求項１に記載のコードレス電話機。
【発明の詳細な説明】
【技術分野】
【０００１】
本発明は、コードレス電話機に関するものである。
【背景技術】
【０００２】
近年、留守宅をねらった空き巣犯罪が非常に増加している。しかし、その対策となるセキュリティシステムは導入コストが高く、警備会社と契約するとなればランニングコストも非常に高くなるので、一般家庭への導入はコスト面で難しいのが現状である。また、導入したとしても、設定操作などが煩わしく、設定し忘れることも考えられる。
【０００３】
このような観点から、留守番電話機を利用してセキュリティを実現するシステムが特許文献１に提案されている。このシステムでは、室内に人体センサを配置し、留守番電話モードの設定中に人体センサが信号を出力すると、自動的にページャの呼び出しが行われる。
【０００４】
【特許文献１】特開平６−６９９９６号公報
【発明の開示】
【発明が解決しようとする課題】
【０００５】
しかし、上述した特許文献１に記載されたシステムなどでは、例えば、侵入者の存在が検出された場合に電話回線を介して予め規定したページャーや電話へ報知するので、そのような事態が生じるごとに、電話回線の利用料金が発生してしまうという問題点がある。
【０００６】
また、例えば玄関にドアホンを設置しておき、来訪者が玄関に設置されたドアホンを操作した場合であっても、遠隔地にいるユーザは、来訪者があったことを知ることができない。
【０００７】
また、例えば自宅でガス漏れや異常な温度上昇などが検出された場合であっても、遠隔地にいるユーザは、その事を知ることができない。
【０００８】
また、例えば上述したような事態が生じた場合に、それぞれの事態毎に連絡先を設定したい場合がある。
【０００９】
また、例えば家庭等に設置されるコードレス電話機の親機と子機は、離れた位置に設置されるケースが多く、具体的には親機をリビング等に設置して、子機を別室等に設置して使用されるケースが多いため、子機により親機の処理を簡単に確認すること、親機の留守番電話機能に係る処理を簡単に操作すること、等が望まれている。
【００１０】
本発明は、このような問題に対処することを課題の一例とするものである。すなわち、留守番電話機能と連動したセキュリティ機能を備える電話機において、簡単な構成により、電話回線を使用することなく、遠隔地にいるユーザに外部装置による検出結果を報知すること、イベント毎に規定された連絡先にその旨を報知すること、コードレス電話機の子機により、親機の留守番電話機能に係る処理を簡単に確認や制御を行うえること、等が本発明の目的である。
【課題を解決するための手段】
【００１１】
このような目的を達成するために、本発明は、以下の独立請求項に係る構成を少なくとも具備するものである。
【００１２】
請求項１に記載の発明は、留守番電話機能を備える親機と、無線通信により前記親機を介して通話可能な子機とを有するコードレス電話機であって、前記親機は、前記子機と無線通信を行う親機側無線部と、電話回線を介して通信を行う電話回線インタフェースと、所定の伝送フォーマットでデータをネットワーク伝送可能なＩＰ通信ネットワークインタフェースと、少なくとも外部装置に設けられたセンサによる検出結果に応じた信号が入力される外部インタフェースと、前記外部インタフェースを介して前記外部装置から入力された信号を検出する検出部と、前記留守番電話機能が有効時に、前記検出部の検出結果に基づいて、予め規定されたメールアドレス宛に、前記検出結果に対応した電子メールをＳＭＴＰにより前記ＩＰ通信ネットワークインタフェースを介して送信する処理を行う制御部とを有することを特徴とする。
【発明を実施するための最良の形態】
【００１３】
本発明の一実施形態に係るコードレス電話機は、留守番電話機能を備える親機と、無線通信により親機を介して通話可能な子機とを有するコードレス電話機であって、親機は、子機と無線通信を行う親機側無線部と、電話回線を介して通信を行う電話回線インタフェースと、所定の伝送フォーマットでデータをネットワーク伝送可能なＩＰ（Internet Protocol）通信ネットワークインタフェースと、少なくとも外部装置に設けられたセンサによる検出結果に応じた信号が入力される外部インタフェースと、外部インタフェースを介して外部装置から入力された信号を検出する検出部と、留守番電話機能が有効時に、検出部の検出結果に基づいて、予め規定されたメールアドレス宛に、前記検出結果に対応した電子メールをＳＭＴＰ（Simple Mail Transfer Protocol）によりＩＰ通信ネットワークインタフェースを介して送信する処理を行う制御部とを有することを特徴とする。
【００１４】
上記構成のコードレス電話機では、親機の制御部が、例えば留守番電話機能部が有効時に、検出部の検出結果に基づいて、予め規定されたメールアドレス宛に、前記検出結果に対応した電子メールをＳＭＴＰによりＩＰ通信ネットワークインタフェースを介して送信する処理を行うので、電話回線を使用することなく、電子メール受信機能を備える通信端末装置等で簡単に確認させることができる。
【００１５】
好適には、ＩＰ通信ネットワークインタフェースは、ハードウェア固有の物理アドレスを示す識別情報を有し、当該識別情報を基に搬送波感知多重アクセス／衝突検出方式により通信制御を行うことを特徴とする。詳細には、ＩＰ通信ネットワークインタフェースとしては、上記機能を備えたイーサネット（登録商標）インタフェースを備えることが好ましい。
【００１６】
上記構成のコードレス電話機では、例えばインターネット等のＩＰ通信ネットワークにＩＳＰ（インターネットサービスプロバイダ）等を介して接続可能なルータやモデム等の通信装置に備えられたイーサネットインタフェースと、ＬＡＮ（ローカルエリアネットワーク）ケーブル等の規定のデータ線により通信可能に接続することができ、簡単にＳＭＴＰにより電子メールを送信することができる。
【００１７】
以下、図面を参照しながら、本発明の一実施形態に係るコードレス電話機を採用したセキュリティシステムを説明する。
【００１８】
［第１実施形態］
図１は、本発明の第１実施形態に係るコードレス電話機１００を採用したセキュリティシステム１を説明するための構成図である。図２は、図１に示したセキュリティシステム１の詳細な構成図である。
【００１９】
本実施形態に係るコードレス電話機１００は、図１，図２に示すように、留守番電話機能を備える１つの親機１００Ａと、１つ又は複数個の子機１００Ｂとを備える。親機１００Ａは本発明に係る親機の一実施形態に相当し、子機１００Ｂは本発明に係る子機の一実施形態に相当する。
【００２０】
親機１００Ａには外部装置が通信可能に接続されている。本実施形態に係る外部装置として、例えば図１，図２に示すように、ドアホン８１０を有する。このドアホン８１０には、例えば図１，図２に必要に応じてドアホンモニタ８２０や中継器（ターミナルボックス）８３０が接続される。ドアホン８１０は本発明に係る外部装置の一実施形態に相当する。
【００２１】
例えば図１，図２に示すように、親機１００Ａは、家ｈ１の１階リビング等に設置され、子機１００Ｂは親機と離れた場所、例えば２階の別室等に設置され、ドアホン８１０は、家ｈ１の玄関等に設置され、ドアホンモニタ８２０は２階の規定場所に設置され、中継器８３０は１階に設けられている。ドアホン８１０は、ドアホンモニタ８２０と通信可能に接続され、中継器８３０を介して親機１００Ａと通信可能に接続されている。またドアホンモニタ８２０は中継器８３０を介して親機１００Ａと通信可能に接続されている。また、中継器８３０は親機１００Ａに設けられた外部インタフェース（Ｉ／Ｆ）１９１にデータ線により接続されている。
【００２２】
本実施形態に係るセキュリティシステム１において、例えば図１，図２に示すように、親機１００Ａは、加入電話回線ネットワークである公衆交換電話網（ＰＳＴＮ）などの外部の電話回線網（電話回線ともいう）３００に電話線Ｌ３を介して接続されており、クライアント端末装置５０（外部電話機５０Ａ）と通話可能である。
【００２３】
また、親機１００Ａは、ルータやＡＤＳＬ（Asymmetric Digital Subscriber Line）モデム等の通信装置４６を介して、ＩＰ（Internet Protocol）通信ネットワーク４００に接続されている。ＩＰ通信ネットワーク４００は、例えばインターネット等の通信プロトコルを用いてコンピュータを相互に接続した通信ネットワークである。
【００２４】
詳細には、例えば、親機１００Ａに設けられたイーサネットインタフェース（Ｉ／Ｆ）１０６と、通信装置４６に備えられたイーサネットインタフェース（Ｉ／Ｆ）４６１とが、ＬＡＮ（ローカルエリアネットワーク）ケーブルなどの規定のデータ線Ｌ４により接続されている。通信装置４６は、例えばＩＳＰ（インターネットサービスプロバイダ）を介してＩＰ通信ネットワーク４００に接続されている。
【００２５】
ＩＰ通信ネットワーク４００には、例えばサーバ装置６０（メールサーバ装置６０Ａ）が接続され、クライアント端末装置（端末装置）５０がＩＳＰ（インターネットサービスプロバイダ）４０１等を介して接続されている。また、携帯電話機５０Ｂ等の端末装置５０が、無線通信方式により基地局４５を介してＩＰ通信ネットワーク４００や電話回線網３００に通信可能に接続されている。詳細には、例えば携帯電話会社４５０は、メールサーバ装置６０（６０Ａ）や、電話回線接続装置４５１などを備え、基地局４５を介して携帯電話５０Ｂに、電子メールサービスや電話サービス等の携帯電話機に係るサービスを提供している。
【００２６】
子機１００Ｂは、無線通信により親機１００Ａとデータ通信することができ、親機１００Ａと各種データを送受信することができる。また、子機１００Ｂは、親機１００Ａとの通信により、親機１００Ａを介して電話回線網３００を経由して端末装置５０（外部電話機５０Ａ）と通話可能である。
【００２７】
図面を参照しながら、コードレス電話機１００の親機１００Ａ、子機１００Ｂを順に説明する。
【００２８】
［親機１００Ａ］
親機１００Ａは、図１，図２に示すように、電話回線インタフェース（Ｉ／Ｆ）１１０、通話回路１０２、スピーカ１０２Ａ、マイクロフォン１０２Ｂ、ＤＳＰ（Digital Signal Processor）１０３、無線部１０４、アンテナ１０５、ＩＰ通信ネットワークインタフェース（ＩＰ通信Ｉ／Ｆ）１０６、表示部１０７、操作入力部１０８、留守番電話機能設定スイッチ１２０、留守番電話機能部１３０、発信元電話番号検出部１４０、記憶部１５０、変換部１６０、制御部（ＣＰＵ：Central Processing Unit）１７０、外部イベント検出部（検出部）１９０、外部インタフェース（Ｉ／Ｆ）１９１を有する。
【００２９】
電話回線Ｉ／Ｆ１１０は本発明に係る電話回線インタフェースの一実施形態に相当し、無線部１０４は本発明に係る親機側無線部の一実施形態に相当する。ＩＰ通信Ｉ／Ｆ１０６は本発明に係るＩＰ通信ネットワークインタフェースの一実施形態に相当し、留守番電話機能部１３０は本発明に係る留守番電話機能部の一実施形態に相当する。制御部１７０は本発明に係る制御部の一実施形態に相当する。検出部１９０は本発明に係る検出部の一実施形態に相当する。
【００３０】
電話回線Ｉ／Ｆ１１０は、制御部１７０の制御により、電話回線網３００を介して通信を行う。詳細には、電話回線Ｉ／Ｆ１１０は、アナログ信号によりＰＳＴＮ等に通信を行う。本実施形態に係る電話回線Ｉ／Ｆ１１０は、例えば図２に示すように、検波回路１１１、回線制御回路１１２、着信検出部１１３を有する。
【００３１】
検波回路１１１は、外部接続端子Ｌ１，Ｌ２に入力される外部着信信号や受信信号を検波する。回線制御回路１１２は、制御部１７０の制御により、コードレス電話機１００の親機１００Ａと外線との回線接続を制御する。着信検出部１１３は、例えばリング回路であり、外線接続端子Ｌ１，Ｌ２を介して入力される外線着信信号を検出して、制御部１７０に出力し、検出時に呼出音をスピーカ１０２Ａから発音させる。
【００３２】
通話回路１０２は、制御部１７０の制御により、回線制御回路１１２を介して入力された受信信号をＤＳＰ１０３、スピーカ１０２Ａや他の回路に送信し、外線への送話信号の送出を行う。また、通話回路１０２には、スピーカ１０２Ａ、およびマイクロフォン１０２Ｂが接続されており、通話回路１０２はマイクロフォン１０２Ｂから入力された音声信号に所定の処理を施して電話回線Ｉ／Ｆ１１０やＤＳＰ１０３に出力し、電話回線Ｉ／Ｆ１１０から入力された音声信号やＤＳＰ１０３から入力された音声信号をスピーカ１０２Ａに出力して、スピーカ１０２Ａにより発音を行わせる。
【００３３】
ＤＳＰ１０３は、制御部１７０の制御により、通話回路１０２を介して入力された受信信号や、外線に送出する送話信号の音声処理を行うとともに、制御部１７０に対してモデムとして機能する。
【００３４】
無線部１０４は、制御部１７０の制御により、子機１００Ｂとの間で、所定の通信方式によりアンテナ１０５を介して無線通信を行う。無線部１０４は、例えば、デジタル無線方式により無線通信を行う。また無線部１０４は、通信周波数を規定周期で切り替える周波数ホッピング方式により無線通信を行ってもよい。また、無線部１０４は、ＭＣＡ（Multi Channel Access）方式等の通信方式により無線通信を行ってもよい。
【００３５】
ＩＰ通信ネットワークＩ／Ｆ（ＩＰ通信Ｉ／Ｆ）１０６は、制御部１７０の制御により、所定の伝送フォーマットでデータをネットワーク伝する。例えば、ＩＰ通信Ｉ／Ｆ１０６としては、例えばイーサネット（登録商標）等の通信方式によりデータ通信を行うイーサネットインタフェース１０６Ａを採用することが好ましい。イーサネットは、パケット交換型のＬＡＮ（ローカルエリアネットワーク）であり、例えばバス型ネットワークや、ハブ（ＨＵＢ）等を用いてスター型ネットワークを構築する際に用いられる。このイーサネットに接続可能なイーサネットインタフェースは、インターネット接続可能な通信装置（ルータやモデム等）に実装される場合が多い。イーサネットインタフェース間をつなぐデータ線Ｌ４としては、例えば２本以上の線が１対にクロス状に編みこまれた構成を有する、より対線や、同軸ケーブル、光ファイバ、等を採用することができる。
【００３６】
このＩＰ通信Ｉ／Ｆ１０６は、詳細には、ハードウェア固有の物理アドレスを示す識別情報（ＭＡＣ（Media Access Control address））アドレスを有し、その識別情報を基に搬送波感知多重アクセス／衝突検出方式（CSMA/CD：Carrier Sense Multiple Access/Collision Detection ）により通信制御を行う。搬送波感知多重アクセス／衝突検出方式（CSMA/CD）とは、例えばデータを送信したいノード(機器)が、通信路の通信状況を監視し、通信路が空くとデータ送信を開始し、複数のノードが同時に送信を開始した場合には、その複数のノードが送信を中止し、ランダムな時間経過後、送信を再開する通信方式である。
【００３７】
図３は、図１，図２に示したコードレス電話機１００が電話回線網３００，ＩＰ通信ネットワーク４００に接続する接続形態を説明するための図である。図３（Ａ）は、親機１００Ａが通信装置４６を介してＩＰ通信ネットワーク４００と接続される形態を説明するための図である。図３（Ａ）に示すように、親機１００Ａは電話線Ｌ３により電話回線Ｉ／Ｆ１１０を介して電話回線網３００と接続し、データ線Ｌ４によりＩＰ通信Ｉ／Ｆ１０６を介してルータ４６Ａ（４６）に形成されたイーサネットＩ／Ｆ４６１と接続している。ルータ４６Ａは、例えばＩＳＰ４０１等を介してＩＰ通信ネットワーク４００と接続されている。
【００３８】
図３（Ｂ）は、コードレス電話機１００がｘＤＳＬ（Digital Subscriber Line）方式により電話回線網３００およびＩＰ通信ネットワーク４００に接続する接続形態を説明するための図である。親機１００Ａは、例えばＡＤＳＬ等のｘＤＳＬ方式により電話回線網３００，ＩＰ通信ネットワーク４００と接続する場合、音声信号とデータ信号とを分離するスプリッタ４６ＣとＡＤＳＬモデム４６１Ｂを使用することが好ましい。詳細には、親機１００Ａの電話回線Ｉ／Ｆ１１０と、スプリッタ４６Ｃの電話回線端子４６１Ｃとが電話線Ｌ３により接続され、スプリッタ４６Ｃの端子４６２Ｃと、ＡＤＳＬモデム４６Ｂ（４６）の端子部４６１Ｂとがデータ線により接続され、親機１００ＡのＩＰ通信Ｉ／Ｆ１０６と、ＡＤＳＬモデム４６Ｂ（４６）のイーサネットインタフェース４６１とがデータ線Ｌ４により接続される。また、スプリッタ４６Ｃは電話回線網３００に接続されるとともに、ＩＳＰ４０１等を介してＩＰ通信ネットワーク４００に接続されている。
【００３９】
図３（Ｃ）は、コードレス電話機１００がＩＳＤＮ（Integrated Services Digital Network）回線を利用した場合の接続形態を説明するための図である。ＩＳＤＮ回線を利用する場合には、例えば、ターミナルアダプタ（ＴＡ）４６Ｄの電話回線端子４６２と親機１００Ａの電話回線Ｉ／Ｆ１１０が電話線Ｌ３により接続され、ターミナルアダプタ（ＴＡ）４６Ｄのイーサネットインタフェース４６１と親機１００ＡのＩＰ通信Ｉ／Ｆ１０６がデータ線Ｌ４により接続される。ターミナルアダプタ（ＴＡ）４６Ｄは、ＤＳＵ（Digital Service Unit）４６Ｅに接続されている。ＤＳＵ４６Ｅは、ＩＳＤＮ回線を介して電話回線網３００に接続されているとともに、ＩＳＰ４０１等を介してＩＰ通信ネットワーク４００に接続されている。
【００４０】
図３（Ｄ）は、コードレス電話機１００がＦＴＴＨ（Fiber To The Home）を利用した場合の接続形態を説明するための図である。ＦＴＴＨを利用する場合、親機１００ＡのＩＰ通信Ｉ／Ｆ１０６とＦＴＴＨモデム４６Ｆに備えられたイーサネットインタフェース４６１とがデータ線Ｌ４により接続される。ＦＴＴＨモデム４６は光ファイバにより必要に応じ所定のＩＳＰ４０１等を介してＩＰ通信ネットワーク４００に接続されている。
【００４１】
図３（Ｅ）は、コードレス電話機１００がＣＡＴＶ（Community Antenna TeleVision）を利用した場合の接続形態を説明するための図である。ＣＡＴＶを利用する場合、親機１００ＡのＩＰ通信Ｉ／Ｆ１０６とＣＡＴＶモデム４６Ｇに備えられたイーサネットインタフェース４６１とがデータ線Ｌ４により接続される。ＣＡＴＶモデム４６ＧはＣＡＴＶ線によりＣＡＴＶ運営会社のＩＳＰ４０１等を介してＩＰ通信ネットワーク４００に接続されている。
【００４２】
コードレス電話機１００とＩＰ通信ネットワーク４００との接続形態は、上述した形態に限られるものではない。例えばコードレス電話機１００は、ブロードバンドルータ、ハブ（ＨＵＢ）、等のイーサネットインタフェースを備える通信装置４６を介して、ＩＰ通信ネットワーク４００と接続してもよい。
【００４３】
表示部１０７は、図１，図２に示すように、制御部１７０の制御により、本発明に係る表示等を行う。表示部１０７としては、例えば、液晶ディスプレイや有機ＥＬ（Electro Luminescence ）ディスプレイ等の表示装置を採用することができる。
【００４４】
操作入力部１０８は、例えば、ユーザの操作に応じた信号、例えば電話番号等のデータ入力を示す信号や、親機１００Ａの所定機能を指示する信号、等を制御部１７０に入力する。操作入力部１０８としては、例えばスイッチ、ボタン、タッチパネルセンサ等を採用することができる。
【００４５】
留守番電話機能設定スイッチ１２０は、例えば留守番電話機能の有効、無効を切り替える際に操作される。制御部１７０は、留守番電話機能設定スイッチ１２０が操作されると、留守番電話機能の有効、無効を切り替える。
【００４６】
留守番電話機能部１３０は、制御部１７０の制御により、例えば留守番電話機能が有効時に、電話回線網３００を介して外部電話機５０Ａからの着信を検出すると、その時刻を示す時刻データとともに記憶し、予め設定された応答メッセージを再生し、外部電話機５０Ａから入力された外部音声信号を時刻データと関連付けて記憶する。また留守番電話機能部１３０は、制御部１７０の制御により、記憶された音声信号を再生することができる。つまり留守番電話機能部１３０は、伝言メッセージを録音／再生することができる。
【００４７】
発信元電話番号検出部１４０は、例えば電話回線Ｉ／Ｆ１１０を介して、外部電話機５０Ａの発信元の電話番号を示す信号（発信元電話番号信号）を検出し、検出結果を示す信号を、制御部１７０に出力する。制御部１７０は、後述するように、発信元電話番号検出部１４０により検出された信号が示す電話番号を基に、該電話番号に関連付けられた発信元情報を、電子メールに付加して送信する処理を行う。発信元電話番号検出部１４０は、いわゆるナンバーディスプレイ機能に相当する。
【００４８】
記憶部１５０は、例えばＲＡＭ（Random access memory）やＲＯＭ（Read only memory）等の半導体メモリ、ハードディスク装置、磁気ディスク装置等により構成され、制御部１７０のワークエリアとして機能する。記憶部１５０は、例えば制御部１７０により実行されて、本発明に係る機能を実現させるプログラム１５１、本発明に係る電子メールの送信先のメールアドレス１５２、各種データ等を記憶する。また、記憶部１５０は、制御部１７０の制御により、記憶しているデータを読み出して出力する。
【００４９】
図４は、図１，図２に示したコードレス電話機１００に記憶されるデータの一実施形態を説明するための図である。詳細には図４（Ａ）は図１，図２に示した親機１００Ａの記憶部１５０に記憶されるデータの一実施形態を説明するための図であり、図４（Ｂ）は電話帳データ１５３の一具体例を説明するための図である。
【００５０】
記憶部１５０は、例えば図４（Ａ）に示すように、電話帳データ１５３を記憶する電話帳メモリ１５０Ａ、通話の送信履歴データを記憶する送信履歴メモリ１５０Ｂ、通話の受信履歴データを記憶する受信履歴メモリ１５０Ｃ、電子メール処理の履歴データ、例えば電子メールの送信時刻データ等を記憶するメール処理履歴メモリ１５０Ｄ等を有する。
【００５１】
電話帳データ１５３は、例えば図４（Ｂ）に示すように、登録識別情報を示す登録データ１５３１、電話番号を示す電話番号データ１５３２、電話番号データに係る発信元情報１５３３とが関連付けられている。発信元情報１５３３としては、例えば図４（Ｂ）に示すように、名前データ１５３４、住所データ１５３５、メールアドレス１５３６等が関連付けられている。
【００５２】
制御部１７０は、発信元電話番号検出部１４０により検出された信号が示す電話番号を基に、記憶部１５０記憶された、電話番号に関連付けられた発信元情報１５３３を、電子メールに付加して送信する処理を行う。
【００５３】
図５は、図１，図２に示したコードレス電話機１００の親機１００Ａの記憶部１５０に記憶されるデータの一実施形態を説明するための図である。詳細には、図５（Ａ）は記憶部１５０に記憶されるテーブル１５２Ａ（１５２）の一実施形態を説明するための図であり、図５（Ｂ）は記憶部１５０に記憶されるテーブル１５１０の一実施形態を説明するための図である。
【００５４】
記憶部１５０は、例えば図５（Ａ）に示すように、発信元電話番号検出部１４０により検出される電話番号と、送信先のメールアドレス１５２とを予め関連付けて記憶してもよい。
【００５５】
詳細には、図５（Ａ）に示すように、記憶部１５０は、グループ１５２１毎に、電話番号データ１５２２、送信先メールアドレス１５２３、送信メッセージデータ１５２４、メール通知／非通知設定データ１５２５等を関連付けるテーブル１５２Ａ（１５２）を記憶する。
【００５６】
制御部１７０は、例えば記憶部１５０に記憶されたテーブル１５２Ａを読み出して、発信元電話番号検出部１４０により検出された信号が示す電話番号を基に、予め電話番号に関連付けられた送信先のメールアドレス宛に、電子メールを送信する処理を行う。
【００５７】
上述したように、制御部１７０が、電話番号に関連付けられた送信先のメールアドレス宛に、電子メールを送信する処理を行うので、例えば着信した電話番号によって電子メールの送信先を指定することができる。
【００５８】
また、上述したようにテーブル１５２Ａにおいて、電話番号データ１５２２が各グループ１５２１に分けられており、グループ１５２１毎に送信先メールアドレス１５２３を設定することができるので、例えば家庭や会社等の複数のユーザによりコードレス電話機１００が使用される場合に、ユーザそれぞれに関連する電話番号をグループ分けしておき、そのグループ毎に電子メールの送信先を指定することができる。つまり、制御部１７０は、発信元電話番号検出部１４０により検出された信号が示す電話番号を基に、予め電話番号に関連付けられたグループ１５２１毎に指定された送信先のメールアドレス宛に、電子メールを送信する処理を行う。
【００５９】
また、上述したように、電話番号データ１５２２に送信メッセージデータ１５２４が関連付けられているテーブル１５２Ａを用いることで、着信した電話番号毎に送信メッセージを指定することができる。つまり、制御部１７０は、発信元電話番号検出部１４０により検出された信号が示す電話番号を基に、電話番号に関連付けられた送信メッセージを、規定の送信先のメールアドレス宛に、電子メールを送信する処理を行う。
【００６０】
また、上述したように、電話番号データ１５２２毎に電子メールの通知又は非通知を示すメール通知／非通知設定データ１５２５を関連付けるテーブル１５２Ａを用いることで、着信した電話番号毎に電子メールの送信または送信を行わないことを指定することができる。つまり、制御部１７０は、発信元電話番号検出部１４０により検出された信号が示す電話番号が、予め規定された電話番号（非通知設定を示すデータ１５２５と関連付けられた電話番号）と一致する場合に、電子メールの送信処理を抑止し、通知設定を示すデータ１５２５が関連付けられた電話番号と一致する場合に、電子メールの送信処理を行う。
【００６１】
また、記憶部１５０は、例えば図５（Ｂ）に示すように、検出部１９０により検出されるイベント１５１２、例えば外部装置等から入力された信号と、送信先のメールアドレス１５２とを予め関連付けて記憶してもよい。
【００６２】
詳細には、図５（Ｂ）に示すように、記憶部１５０は、グループ１５１１毎に、イベント１５１２、送信先メールアドレス１５１３、送信メッセージデータ１５１４、メール通知／非通知設定データ１５１５等を関連付けるテーブル１５１０を記憶する。
【００６３】
制御部１７０は、例えば記憶部１５０に記憶されたテーブル１５０１を読み出して、検出部１９０の検出結果に基づいて、その検出結果に相当するイベント１５１２に関連付けられた予め規定されたメールアドレス１５１３宛に、前記検出結果に対応した電子メールをＳＭＴＰによりＩＰ通信Ｉ／Ｆ１０６を介して送信する処理を行う。
【００６４】
上述したように、制御部１７０が、イベントに対応した送信先のメールアドレス宛に、電子メールを送信する処理を行うので、例えばドアホン８１０に設けられたスイッチが押下された場合に、そのイベントに関連付けられたメールアドレス宛に電子メールを送信することができ、ドアホンモニタ８２０に設けられたセンサから異常を示す信号が入力された場合等に、そのイベントに関連付けられた送信先に電子メールを指定することができる。
【００６５】
変換部１６０は、制御部１７０の制御により、例えば必要に応じて画像や外部音声信号に所定の信号処理を施して画像データや音声データを生成する。
【００６６】
外部Ｉ／Ｆ１９１は、制御部１７０の制御により、少なくとも外部装置とデータ通信を行い、少なくとも外部装置に設けられたセンサによる検出結果に応じた信号入力される。
【００６７】
検出部１９０は、外部Ｉ／Ｆ１９１を介して外部装置から入力された信号を検出し、検出結果を示す信号を制御部１７０に出力する。
【００６８】
制御部（ＣＰＵ）１７０は、装置全体を統括的に制御する。制御部１７０は、例えば上述したようにプログラム１５０を実行することにより本発明に係る機能を実現する。以下、制御部１７０の機能の一実施形態を説明する。
【００６９】
制御部１７０は、留守番電話機能部１３０の留守番電話機能が有効時に、着信検出部１１３により着信信号が検出された場合、予め規定されたメールアドレス宛に、前記検出結果に対応した電子メールをＳＭＴＰによりＩＰ通信Ｉ／Ｆ１０６を介してメールサーバ装置６０Ａ（６０）に送信する処理を行う。
【００７０】
詳細には、制御部１７０は、例えば留守番電話機能が有効時に、検出部１９０の検出結果に基づいて、予め規定されたメールアドレス宛に、前記検出結果に対応した電子メールをＳＭＴＰによりＩＰ通信Ｉ／Ｆ１０６を介して送信する処理を行う。
【００７１】
また、制御部１７０は、外部装置（ドアホン８１０、ドアホンモニタ８２０等）から受信した画像を添付した電子メールを、ＳＭＴＰによりＩＰ通信Ｉ／Ｆ１０６を介して送信する処理を行う。
【００７２】
また、制御部１７０は、無線部１０４を介して、子機１００Ｂに設けられたセンサや撮像部等の検出結果に基づいて、予め規定されたメールアドレス宛に、前記検出結果に対応した電子メールをＳＭＴＰによりＩＰ通信Ｉ／Ｆ１０６を介して送信する処理を行う。
【００７３】
また、制御部１７０は、子機１００Ｂから受信した画像を添付した電子メールを、ＳＭＴＰによりＩＰ通信Ｉ／Ｆ１０６を介して送信する処理を行う。
【００７４】
また、制御部１７０は、本発明に関する上記処理に係る表示を行わせる制御信号を無線部１０４を介して子機１００Ｂに送信する処理を行う。
【００７５】
また、制御部１７０は、留守番電話機能部１３０の留守番電話機能が有効時に、電子メールの送信処理に係る表示を行わせる制御信号を無線部１０４を介して子機１００Ｂに送信する処理を行う。
【００７６】
また、制御部１７０は、記憶部１５０に外部音声信号が新たに記憶された場合に、外部音声信号に応じた音声データ及び時刻データを含む電子メールを、ＩＰ通信Ｉ／Ｆ１０６を介して送信する処理を行う。
【００７７】
また、制御部１７０は、上述したように、発信元電話番号検出部１４０により検出された信号が示す電話番号を基に、その電話番号に関連付けられた発信元情報１５３３を、電子メールに付加して送信する処理を行う。
【００７８】
また、制御部１７０は、電話回線Ｉ／Ｆ１１０を介して、電子メールの送信指示を示す信号を受信した場合に、留守番電話機能に係る内容、例えば、着信履歴データ、記憶された外部音声信号の件数、記憶部１５０の記憶容量のうち外部音声信号を記憶可能な量を示す情報、電子メールの送信履歴、等を示す電子メールを予め規定されたメールアドレス宛に、ＩＰ通信Ｉ／Ｆ１０６を介して送信する処理を行う。
【００７９】
また、制御部１７０は、上述したように、発信元電話番号検出部１４０により検出された信号が示す電話番号を基に、予め電話番号に関連付けられた送信先のメールアドレス宛に、ＩＰ通信Ｉ／Ｆ１０６を介して、電子メールを送信する処理を行う。
【００８０】
また、制御部１７０は、上述したように、発信元電話番号検出部１４０により検出された信号が示す電話番号が、予め規定された電話番号と一致する場合に、電子メールの送信処理を抑止する。
【００８１】
また、制御部１７０は、子機から無線部１０４を介して、規定されたメールアドレス宛に電子メールの送信指示を示す制御信号を受信した場合、その制御信号に基づいてメールアドレス宛に電子メールを送信する処理を行う。こうすることで、ユーザは子機１００Ｂを操作することにより、親機１００Ａに記憶された外部音声信号や、時刻データ等を規定されたメールアドレス宛に送信させることができる。
【００８２】
図６は、図１，図２に示したコードレス電話機１００の機能を説明するための機能ブロック図である。図６を参照しながら、コードレス電話機１００の機能の一実施形態を説明する。
【００８３】
本実施形態に係るコードレス電話機１００は、例えば図６に示すように、メインブロック７００Ａ、およびイーサネットＩ／Ｆブロック７００Ｂを有し、制御部１７０が、メインブロック７００ＡとイーサネットＩ／Ｆブロック７００Ｂとを協働させて、上記電子メールの送信に係る処理を行う。
【００８４】
メインブロック７００Ａは本発明に係るコードレス電話メイン機能部の一実施形態に相当し、イーサネットＩ／Ｆブロック７００Ｂは本発明に係る通信インタフェース機能部の一実施形態に相当する。
【００８５】
メインブロック７００Ａは、例えば図６に示すように、電話回線Ｉ／Ｆ１１０、着信検出部１１３、留守番電話機能部１３０、発信元電話番号検出部１４０、制御部１７０、電話帳制御部１７１、検出部１９０、および外部Ｉ／Ｆ１９１等を有する。上述した機能については説明を省略する。留守番電話機能部１３０は、例えば図６に示すように、外部音声信号検出部１３１、および外部音声信号記憶部１３２を有する。
【００８６】
外部音声信号検出部１３１は、留守番電話機能が有効時に、電話回線Ｉ／Ｆ１１０を介して外部音声信号を検出すると、その検出した旨を示す信号を制御部１７０に出力する。外部音声信号記憶部１３２は、電話回線Ｉ／Ｆ１１０を介して入力された外部音声信号を記憶し、必要に応じて外部音声信号を制御部１７０に出力する。外部音声信号記憶部１３２は、例えば半導体メモリや磁気ディスク、磁気テープ記録装置等により構成されてもよい。また、外部音声信号記憶部１３２は、図２に示した記憶部１５０により機能を実現してもよい。
【００８７】
電話帳制御部１７１は、制御部１７０の制御により、記憶部１５０に記憶された各種データ、例えば電話番号や発信元情報等が関連付けられた電話帳データ１５３に関する読み出し処理等を行う。
【００８８】
検出部１９０は、例えば図６に示すように、外部イベント信号検出部１９２、外部イベント信号記憶部１９３を有する。
【００８９】
外部イベント信号検出部１９２は、外部Ｉ／Ｆ１９１を介してドアホン８１０等の外部装置から外部イベント信号を検出すると、その検出した旨を示す信号を制御部１７０に出力する。外部イベント信号記憶部１９３は、外部Ｉ／Ｆ１９１を介して入力された外部イベント信号、例えば画像データ等を記憶し、必要に応じて制御部１７０に出力する。外部イベント信号記憶部１９３は、例えば半導体メモリや磁気ディスク、磁気テープ記録装置等により構成されてもよい。また、外部イベント信号記憶部１９３は、図２に示した記憶部１５０により機能を実現してもよい。
【００９０】
イーサネットＩ／Ｆブロック７００Ｂは、例えば図６に示すように、ＩＰ通信Ｉ／Ｆ１０６（イーサネットＩ／Ｆ１０６Ａ）、ＴＣＰ／ＩＰ（Transmission Control Protocol/Internet Protocol）制御部７０１、ＳＭＴＰ制御部７０２、メールアプリケーション７０３、メールアドレス記憶部７０４、等を有する。上述した機能については説明を省略する。
【００９１】
ＴＣＰ／ＩＰ制御部７０１は、例えばトランスポート層およびネットワーク層の制御機能に相当し、ＴＣＰ／ＩＰに係る機能を実現するプログラム群であるＴＣＰ／ＩＰプロトコルスタックを有する。
【００９２】
ＳＭＴＰ制御部７０２は、例えばアプリケーション層の制御機能に相当し、ＳＭＴＰに係る機能を実現するプログラム群である。
【００９３】
メールアプリケーション７０３は、例えば制御部１７０の制御により、メールアドレス記憶部７０４に記憶された予め記憶されたメールアドレス宛に、ＳＭＴＰ制御部７０２、ＴＣＰ／ＩＰ制御部７０１、イーサネットＩ／Ｆ１０６Ａを介して送信する処理を行う。
【００９４】
上述したように、本実施形態に係る親機１００Ａは、メインブロック７００Ａに、イーサネットＩ／Ｆブロック７００Ｂを加えた構成を備え、制御部１７０が、メインブロック７００Ａと、イーサネットＩ／Ｆブロック７００Ｂとを協働させて電子メールの送信に係る処理を行うので、例えば簡単な構成により、本発明に係る機能を実現することができる。
【００９５】
図７は、図１，図２に示したコードレス電話機１００がＩＰ通信Ｉ／Ｆ１０６を介して送信するデータの一実施形態を説明するための図である。詳細には、図７（Ａ）は図１，図２に示した親機１００ＡがＩＰ通信Ｉ／Ｆ１０６を介して送信するデータ４０１の一実施形態を説明するための図であり、図７（Ｂ）は図７（Ａ）に示したデータ４０１のうちの送信データ４０７を詳細に説明するための図である。
【００９６】
親機１００ＡがＩＰ通信Ｉ／Ｆ１０６を介して送信するデータ４０１は、例えば図７（Ａ）に示すように、同期信号４０２、フレーム開始符号４０３、送信先ＭＡＣアドレス４０４、送信元ＭＡＣアドレス４０５、フレーム長／タイプデータ４０６、送信データ４０７、ＦＣＳ（Frame Check Sequence）４０８等を有する。本実施形態に係る送信データ４０７は、例えば図７（Ｂ）に示すように、ＩＰヘッダ４０７１、ＴＣＰヘッダ４０７２、送信先メールアドレス４０７３、送信元メールアドレス４０７４、送信日時データ４０７５、電話回線Ｉ／Ｆ１１０を介して着信した時刻を示す着信日時データ４０７６、電話回線Ｉ／Ｆ１１０を介して入力された外部音声信号やドアホン８１０やドアホンモニタ８２０から入力された音声データ４０７７Ａ、画像データ４０７７Ｂ、イベント名データ４０７７Ｃ、発信元電話番号データ４０７８、発信元情報４０７９（例えば氏名、住所、メールアドレス等）、その他データ４０７１０、等を有する。
【００９７】
また、親機１００ＡのＩＰ通信Ｉ／Ｆ１０６から送信されるデータは、上述した形態に限られるものではなく、適宜設定することができる。
【００９８】
［ドアホン８１０］
ドアホン８１０は、例えば図１，図２に示すように、インタフェース（Ｉ／Ｆ）８１１、撮像部８１２、スピーカ８１３Ａ、マイクロフォン８１３Ｂ、スイッチ８１４、記憶部８１５、センサ８１６、および制御部（ＣＰＵ）８１７等を有する。撮像部８１２やセンサ８１６は、本発明に係る外部装置に設けられたセンサの一実施形態に相当する。Ｉ／Ｆ８１１は本発明に係るインタフェースの一実施形態に相当する。
【００９９】
例えば図１に示すように、ドアホン８１０の正面に、撮像部８１２、スピーカ８１３Ａ、マイクロフォン８１３Ｂ、スイッチ８１４、センサ８１６等が設けられている。
【０１００】
Ｉ／Ｆ８１１は、例えば制御部８１７の制御により、親機１００Ａやドアホンモニタ８２０との間で、必要に応じて中継器８３０を介して、所定の通信方式によりデータ通信を行う。撮像部８１２は、例えばＣＣＤ（Charge Coupled Devices）やＣＭＯＳ（Complementary Metal Oxide Semiconductor）イメージセンサ等の撮像素子を備え、撮像結果を示す信号を制御部８１７に出力する。スピーカ８１３Ａは、制御部８１７の制御により、必要に応じて音声回路（不図示）を介して発音する。マイクロフォン８１３Ｂは必要に応じては音声回路を介して外部の音声信号を制御部８１７に出力する。スイッチ８１４は、例えば来訪者などにより操作され、操作に応じた信号を制御部８１７に出力する。記憶部８１５は、例えばＲＡＭやＲＯＭ等の半導体メモリ等により構成され、制御部８１７のワークエリアとして機能する。センサ８１６は、例えば人感センサ、温度センサ等であり、検出結果を示す信号を制御部８１７に出力する。制御部８１７は、ドアホンの装置全体を統括的に制御する。例えば制御部８１７は、撮像部８１２の撮像結果により生成された画像をＩ／Ｆ８１１を介して出力する処理を行う。また、制御部８１７は、センサ８１７による検出信号をＩ／Ｆ８１１を介して出力する処理等を行う。
【０１０１】
［ドアホンモニタ８２０］
ドアホンモニタ８２０は、例えば図１，図２に示すように、インタフェース（Ｉ／Ｆ）８２１、表示部８２２、スピーカ８２３Ａ、マイクロフォン８２３Ｂ、スイッチ８２４、記憶部８２５、センサ８２６、および制御部８２７等を有する。
【０１０２】
Ｉ／Ｆ８２１は、例えば制御部８２７の制御により、親機１００Ａやドアホン８１０との間で、必要に応じて中継器８３０を介して、所定の通信方式によりデータ通信を行う。表示部８２２は、例えば液晶表示装置や有機ＥＬ（エレクトロルミネッセンス）等の表示装置、ＬＥＤ（Light Emitting Diode）等の発光素子、等を有し、制御部８２７の制御により、本発明に係る表示等を行う。詳細には、表示部８２２は、例えばドアホン８１０から受信した画像等を表示する。スピーカ８２３Ａは、制御部８２７の制御により、必要に応じて音声回路（不図示）を介して発音する。マイクロフォン８２３Ｂは必要に応じては音声回路を介して外部の音声信号を制御部８２７に出力する。スイッチ８２４は、例えばユーザなどにより操作され、操作に応じた信号を制御部８２７に出力する。記憶部８２５は、例えばＲＡＭやＲＯＭ等の半導体メモリ等により構成され、制御部８２７のワークエリアとして機能する。センサ８２６は、例えば人感センサ、温度センサ等であり、検出結果を示す信号を制御部８２７に出力する。制御部８２７は、ドアホンモニタの装置全体を統括的に制御する。
【０１０３】
［子機１００Ｂ］
図１，図２に示すように、子機１００Ｂは、無線部２０１、アンテナ２０２、ＤＳＰ２０３、スピーカ２０４Ａ、マイクロフォン２０４Ｂ、表示部２０５、操作入力部２０６、記憶部２０７、制御部（ＣＰＵ）２０８、イベント検出部２０９、およびセンサ２１０を有する。
【０１０４】
無線部２０１は本発明に係る子機側無線部の一実施形態に相当し、表示部２０５は本発明に係る表示部の一実施形態に相当する。制御部２０８は本発明に係る子機の制御部の一実施形態に相当する。
【０１０５】
無線部２０１は、制御部２０８の制御により、親機１００Ａとの間で、所定の通信方式によりアンテナ２０２を介して無線通信を行う。無線部２０１は、例えば、デジタル無線方式により無線通信を行う。また、無線部２０１は、通信周波数を規定周期で切り替える周波数ホッピング方式により無線通信を行ってもよい。また、無線部２０１は、ＭＣＡ方式等の通信方式により無線通信を行ってもよい。
【０１０６】
ＤＳＰ２０３は、制御部２０８の制御により、例えば、無線部２０１を介して入力されてくる受信信号や、外線に送出する送話信号の音声処理を行うとともに、制御部２０８に対してモデムとして機能する。また、ＤＳＰ２０３には、スピーカ２０４Ａおよびマイクロフォン２０４Ｂが接続されており、ＤＳＰ２０３は、マイクロフォン２０４Ｂから入力された音声信号に所定の処理を施して、無線部２０１や制御部２０８に出力し、無線部２０１から入力された音声信号をスピーカ２０４Ａに出力して、スピーカ２０４Ａにより発音を行わせる。
【０１０７】
表示部２０５は、図１，図２に示すように、制御部２０８の制御により、本発明に係る表示等を行う。詳細には、表示部２０５は、例えば無線部２０１を介して親機１００Ａから受信した制御信号に応じた表示等を行う。表示部２０５としては、例えば、液晶ディスプレイや有機ＥＬディスプレイ等の表示装置、ＬＥＤ等の発光素子、等を採用することができる。
【０１０８】
操作入力部２０６は、例えば、ユーザの操作に応じた信号、例えば電話番号等のデータ入力を示す信号や、子機１００Ｂの所定機能を指示する信号、等を制御部２０８に入力する。操作入力部２０６としては、例えばスイッチ、ボタン、タッチパネルセンサ等を採用することができる。
【０１０９】
記憶部２０７は、例えばＲＡＭやＲＯＭ等の半導体メモリ、ハードディスク装置、磁気ディスク装置等により構成され、制御部２０８のワークエリアとして機能する。記憶部２０７は、例えば制御部２０８により実行されて、本発明に係る機能を実現させるプログラム２０７１、各種データ等を記憶する。また、記憶部２０７は、制御部２０８の制御により、記憶しているデータを読み出して出力する。
【０１１０】
イベント検出部２０９は、周囲の撮像した結果に応じた画像を制御部２０８に出力する。詳細にはイベント検出部２０９は、図２に示すように、撮像部２０９１、撮像制御部２０９２、外部イベント信号検出部２０９３、および外部イベント記憶部２０９４を有する。撮像部２０９１、撮像制御部２０９２、外部イベント信号検出部２０９３、および外部イベント記憶部２０９４を有する。
【０１１１】
撮像部２０９１は、例えばＣＣＤやＣＭＯＳイメージセンサ等の撮像素子を備え、撮像結果を示す信号を撮像制御部２０９２を介して制御部２０８に出力する。撮像制御部２０９２は、撮像部２０９１の駆動回路や画像処理回路等からなる。外部イベント信号検出部２０９３は、撮像部２０９１により撮像制御部２０９２を介して入力された外部イベント信号（画像）を検出すると、その検出した信号を制御部２０８に出力する。外部イベント信号記憶部２０９３は、撮像制御部２０９２を介して入力された外部イベント信号、例えば画像データ等を記憶し、必要に応じて制御部２０８に出力する。外部イベント信号記憶部２０９３は、例えば半導体メモリや磁気ディスク等により構成されてもよい。また外部イベント信号記憶部２０９３は、図２に示した記憶部２０７により機能を実現してもよい。
【０１１２】
センサ２１０は、人感センサ、温度センサ等であり、検出結果を示す信号を制御部２０８に出力する。
【０１１３】
制御部（ＣＰＵ）２０８は、子機１００Ｂの装置全体を統括的に制御する。制御部２０８は、例えば上述したようにプログラム２０７１を実行することにより本発明に係る機能を実現する。以下、制御部２０８の機能の一実施形態を説明する。
【０１１４】
制御部２０８は、例えば、センサ２１０による検出結果に応じた信号を無線部２０１を介して親機１００Ａに送信する処理を行う。
【０１１５】
また、制御部２０８は、撮影部２０９１により生成された画像を、無線部２０１を介して親機１００Ａに送信する処理を行う。
【０１１６】
また、制御部２０８は、無線部２０１を介して親機１００Ａから受信した制御信号を基に、その制御信号に応じた表示を表示部２０５に行わせる。
【０１１７】
また、制御部２０８は、例えば操作入力部２０６から、メールアドレス宛に電子メールを送信させる操作指示信号が入力されると、規定されたメールアドレス宛に電子メールを送信させる制御信号を無線部２０１を、無線部２０１を介して親機１００Ａに送信する処理を行う。
【０１１８】
［クライアント端末装置（端末装置）５０］
端末装置５０は、例えば外部電話機５０Ａ、携帯電話５０Ｂ、パーソナルコンピュータ５０Ｃ等の通信機能を備えたコンピュータであり、一般的なコンピュータと同じ構成である。詳細には、端末装置５０は、無線通信方式や有線方式によりＩＰ通信ネットワーク４００や電話回線網３００を介して通信を行う通信Ｉ／Ｆ５１、スピーカ５２Ａ及びマイクロフォン５２Ｂが接続された音声回路５２、表示部５３、操作入力部５４、記憶部５５、制御部５６、等を有する。端末装置５０の各構成要素については、一般的なコンピュータの構成と略同じであるので説明を省略する。
【０１１９】
［サーバ装置］
サーバ装置６０は、メールサーバ装置６０Ａや、ＦＴＰ（File Transfer Protocol）、ＳＭＴＰ（Simple Mail Transfer Protocol ）、ＨＴＴＰ（HyperText Transfer Protocol）、等の所定の伝送フォーマットにて、所定のサービスを提供するサーバ装置６０Ｂ等の所定のサービスを提供する通信機能を備えたコンピュータであり、一般的なコンピュータと同じ構成である。サーバ装置６０は、詳細には通信Ｉ／Ｆ、操作入力部、表示部、記憶部、および制御部、等を有する。サーバ装置６０の各構成要素については、一般的なコンピュータの構成と略同じであるので説明を省略する。
【０１２０】
図８は、図１，図２に示したコードレス電話機１００の動作、特に親機１００Ａの動作を説明するためのフローチャートである。図９は図１，図２に示したコードレス電話機１００、ドアホン８１０、メールサーバ装置６０Ａ、端末装置５０等の動作の一実施形態を説明するための図である。図８，図９を参照しながら、本発明に係る装置の動作、特にコードレス電話機１００の制御部１７０の動作を中心に説明する。また、ドアホン８１０やドアホンモニタ８２０にセンサ８１６として人感センサが設けられている場合を説明する。
【０１２１】
図８に示すように、ステップＳ２０１において、親機１００Ａの制御部１７０は、例えば留守番電話機能設定スイッチ１２０から入力される信号を基に、留守番電話機能の有効又は無効を設定し、留守番電話機能が無効時にはセンサ８１６，８２６をオフ状態に設定して通常処理を行い、一方、電話留守番電話機能が有効時にはステップＳ２０２の処理に進み、例えばドアホン８１０に設けられたセンサ８１６やドアホンモニタ８２０に設けられたセンサ８２６をオン状態に設定する。以下、例えば留守番電話機能が有効時の制御部１７０の動作を説明する。
【０１２２】
制御部１７０は、例えば規定時間を計時するタイマを備える。
このタイマは、主として侵入者と利用者自身とを判別するために使用される。センサ８１６が反応したときに、直ちに電子メールを利用者の携帯電話等や端末装置５０へ送信することとすると、帰宅した利用者自身の動きがセンサ８１６，８２６により検出され、電子メールが送られてしまうこととなる。即ち、帰宅した利用者自身が電話機１００Ａを操作して留守番電話機能を解除し、それと連動してセンサ８１６，８２６が解除されるまでの間に、センサ８１６，８２６が利用者自身を検出し、侵入者と判断して音声メッセージを送ってしまう。よって、利用者が帰宅するたびに携帯電話等へ電子メールが送信されてしまうので、この不具合を防止するために、本実施例ではタイマを利用している。タイマの設定時間は、利用者が帰宅してセンサ８１６，８２６により検知されてから、留守番電話機能の設定を解除するまでに要する時間とほぼ等しく設定される。通常、留守番電話機能の設定及び解除は親機１１０ａ本体の操作ボタンにより行われるので、センサ８２６により検出された場合には、タイマの設定時間はかなり短くなるし、親機１１０ａ本体から離れたドアホン８１０のセンサ８１６により検出された場合には、タイマの設定時間は長くなり、例えば親機１１０ａ本体にセンサを設けた場合には、タイマの設定時間は比較的短くなる。
【０１２３】
制御部１７０は、センサ８１６，８２６による異常の検出がタイマの設定時間以上継続した場合に、ステップＳ２０４の処理に進み、それ以外の場合にはステップＳ２０２の処理に留まる。
【０１２４】
また、ステップＳ２０２において、親機１００Ａの制御部１７０は、例えばドアホン８１０のスイッチ８１４が操作された否かを判別し、操作されていないと判別した場合には、ステップＳ２０３の通常処理を行い、ドアホン８１０のスイッチ８１４が操作されたと判別した場合に、ステップＳ２０４の処理に進む（図９に示したステップＳ３０１）。
【０１２５】
ステップＳ２０４において、制御部１７０は、上述したように検出部１９０（外部イベント信号検出部１９２）により外部Ｉ／Ｆ１９１を介してドアホン８１０やドアホンモニタ８２０に規定のイベントを示す信号が検出された場合に、前記検出結果に対応した表示を表示部１０７に表示させる処理を行うとともに（ステップＳ２０５）、その旨を表示させる制御信号を無線部１０４を介して子機１００Ｂに送信する処理を行う（図９に示したＳ３０２）。子機１００Ｂの制御部２０８は、無線部２０１を介して受信した制御信号に応じて、表示部２０５にその旨を表示させる表示処理を行う。また、制御部１７０は、ドアホン８１０に画像送信指示信号を出力する（図９に示したＳ３０３）。
【０１２６】
ステップＳ２０６において、制御部１７０は、ドアホン８１０の撮像部８１２により生成された画像データや、マイクロフォン８２３Ｂにより生成された音声データ等を取得して、外部イベント信号記憶部１９３に記憶する（ステップＳ２０７）。また、制御部１７０は、必要に応じてこの画像データや音声データを子機１００Ｂの表示部２０５や、ドアホンモニタ８２０の表示部８２２に表示させる（図９に示したＳ３０４）。
【０１２７】
また、ステップＳ２０９において、御部１７０は、必要に応じて変換部１６０により、外部イベント信号記憶部１９３に記憶された画像データや音声データを適切なフォーマットに変換する。
【０１２８】
ステップＳ２１０において、制御部１７０は、ドアホンが操作された旨を示すデータや、画像データや、音声データ、イベント名データ、時刻データ、等を、図６に示したイーサネットＩ／Ｆブロック７００Ｂに転送（出力）するとともに、イーサネットＩ／Ｆブロック７００Ｂにメール送信指示を行う。
【０１２９】
ステップＳ２１１において、制御部１７０の制御により、イーサネットＩ／Ｆブロック７００Ｂでは、記憶部１５０に記憶されている予め規定されたメールアドレス１５２宛に、例えば図７（Ａ），７（Ｂ）に示すように、必要に応じて、ドアホンが操作された旨を示すデータや、画像データや、音声データ、イベント名データ、時刻データ、テキストデータ等を、ＩＰ通信Ｉ／Ｆ１０６を介して電子メールの送信処理を行う（図９に示したステップＳ３０５）。
【０１３０】
ステップＳ２１２において、親機１００Ａの制御部１７０は、上記電子メールを送信した旨を表示部１０７に表示する処理を行うとともに、上記電子メールの送信処理に係る表示を行わせる制御信号を無線部１０４を介して、子機１００Ｂに送信する処理を行う（図９に示したステップＳ３０６）。子機１００Ｂの制御部２０８は、無線部２０１を介して受信した制御信号に応じて、表示部２０５にその旨を表示させる表示処理を行う。
【０１３１】
メールサーバ装置（例えばＳＭＴＰサーバ兼ＰＯＰサーバ）６０Ａでは、親機１００ＡからＩＰ通信ネットワーク４００を介して受信した電子メールを、メールアドレスにより指定されたユーザのメールボックスに記憶する。
【０１３２】
図９に示すように、ステップＳ３０７において、例えば、携帯電話５０Ｂ宛に電子メールが送信された場合には、メールサーバ装置６０Ａ（６０）は、基地局４０を介して携帯電話５０Ｂにメール着信を示す通知信号を送信し、メール受信設定に応じて例えば電子メールを携帯電話５０Ｂに送信する。
【０１３３】
パーソナルコンピュータ等の端末装置５０Ｃ（５０）宛に電子メールが送信された場合には、メールサーバ装置６０Ａ（６０）は、端末装置５０からの要求に応じて、電子メールを端末装置５０に送信する。
【０１３４】
端末装置５０（５０Ｂ，５０Ｃ）の制御部５６は、通信Ｉ／Ｆ５１を介して受信した電子メールに基づいて、ドアホンが操作された旨を示すデータや、画像データや、音声データ、イベント名データ、時刻データ、等を表示部５３に表示する処理を行い、スピーカ５２Ａから音声データに応じた発音を行わせる処理を行う。
【０１３５】
図１０は、図１，図２に示した親機１００Ａと子機１００Ｂの機能を説明するための機能ブロック図である。図１１は、図１，図２，図１０に示した親機１００Ａ、子機１００Ｂ、メールサーバ装置６０Ａ、端末装置５０等の動作の一実施形態を説明するための図である。図面を参照しながら、本発明に係る装置の動作、特に子機１００Ｂによりイベント検出された場合の動作を説明するための図である。上述した各機能や動作については説明を省略する。
【０１３６】
図１１に示すように、ステップＳ４０１において、子機１００Ｂの制御部２０８は、異常がイベント検出部２０９やセンサ２１０により異常が検出された場合、詳細には、例えばイベント検出部２０９の撮像部２０９１により生成された画像信号を基に、外部イベント信号検出部２０９３が異常を検出した場合やセンサ２１０により異常が検出された場合に、前記検出結果に対応した信号や、外部イベント信号記憶部２０９４に記憶されている画像データ、音声データ等を無線部２０１を介して、親機１００Ａに出力する。
【０１３７】
親機１００Ａの制御部１７０では、無線部１０４を介して子機１００Ｂから受信した信号に基づいて、そのイベント検出を判別し、例えば判別の結果、異常を示すイベントが発生したと判別した場合には、前記検出結果に対応した表示を表示部１０７に表示させる処理を行うとともに、その旨を表示させる制御信号を無線部１０４を介して子機１００Ｂに送信する処理を行う（ステップＳ４０２）。子機１００Ｂの制御部２０８は、無線部２０１を介して受信した制御信号に応じて、表示部２０５にその旨を表示させる表示処理を行う。
【０１３８】
ステップＳ４０３において、親機１００Ａの制御部１７０は、子機１００Ｂから取得した画像データや音声データ等を、必要に応じて変換部１６０により適切なフォーマットに変換し、子機１００Ｂにより異常が検出された旨を示すデータや、画像データや、音声データ、イベント名データ、時刻データ、等を、図６に示したイーサネットＩ／Ｆブロック７００Ｂに転送（出力）するとともに、イーサネットＩ／Ｆブロック７００Ｂにメール送信指示を行い、イーサネットＩ／Ｆブロック７００Ｂでは、記憶部１５０に記憶されている予め規定されたメールアドレス１５２宛に、必要に応じてそれらデータを、ＩＰ通信Ｉ／Ｆ１０６を介して電子メールの送信処理を行う。
【０１３９】
ステップＳ４０４において、親機１００Ａの制御部１７０は、上記電子メールを送信した旨を表示部１０７に表示する処理を行うとともに、上記電子メールの送信処理に係る表示を行わせる制御信号を無線部１０４を介して、子機１００Ｂに送信する処理を行う。子機１００Ｂの制御部２０８は、無線部２０１を介して受信した制御信号に応じて、表示部２０５にその旨を表示させる表示処理を行う。
【０１４０】
ステップＳ４０５において、メールサーバ装置（例えばＳＭＴＰサーバ兼ＰＯＰサーバ）６０Ａでは、親機１００ＡからＩＰ通信ネットワーク４００を介して受信した電子メールを、メールアドレスにより指定されたユーザのメールボックスに記憶する。以下、上述したようにメールサーバ装置６０Ａから端末装置５０に電子メールが送信されて、端末装置５０ではその電子メールに基づいて、子機１００Ｂにより異常が検出された旨を示すデータや、画像データや等を表示部５３に表示する処理等を行う。
【０１４１】
図１２は、図１，図２に示したコードレス電話機１００の動作、特に親機１００Ａの動作を説明するためのフローチャートである。図１３は図１，図２に示したコードレス電話機１００、外部電話機５０Ａ、メールサーバ装置６０Ａ、端末装置５０等の動作の一実施形態を説明するための図である。図１２，図１３を参照しながら、コードレス電話機１００に外部電話機から着信があった場合の動作の一具体例を説明する。
【０１４２】
ステップＳ１において、親機１００Ａの制御部１７０は、留守番電話機能設定スイッチ１２０から入力される信号を基に、留守番電話機能の有効又は無効を設定する。
【０１４３】
ステップＳ２において、制御部１７０は、留守番電話機能が有効であるか否かを判別し、有効でないと判別した場合には通常処理を行い（ステップＳ３）、留守番電話機能が有効であると判別した場合に、留守電モード処理を行う（ステップＳ４）、詳細には後述するようにステップＳ５からステップＳ１６の処理等を行う。
【０１４４】
ステップＳ５において、制御部１７０は、留守番電話機能が有効時に、着信待ち状態となり、その間に各種イベントが発生した場合には、後述するように、そのイベントに応じた処理を行う。
【０１４５】
ステップＳ６において、制御部１７０は、端末装置５０から電話回線網３００を介して着信検出部１１３により着信信号を検出したか否かを判別し、検出していないと判別した場合にステップＳ５の処理に戻り、着信信号を検出した場合（図１３に示したＳ１０１）に、前記検出結果に対応した表示を表示部１０７に表示させる処理を行うとともに、その旨を表示させる制御信号を無線部１０４を介して子機１００Ｂに送信する処理を行う（図１３に示したＳ１０２）。子機１００Ｂの制御部２０８は、無線部２０１を介して受信した制御信号に応じて、表示部２０５にその旨を表示させる表示処理を行う。
【０１４６】
ステップＳ８において、親機１００Ａの制御部１７０は、発信元電話番号検出部１４０により、電話回線Ｉ／Ｆ１１０を介して発信元（外部電話機５０Ａ）の電話番号を示す信号が検出されたか否かを判別し、検出されないと判別した場合にステップＳ１１の処理に進み、検出されたと判別した場合に、発信元電話番号を記憶部１５０に記憶し（ステップＳ９）、発信元電話番号を表示部１０７に表示させる処理を行うとともに、発信元電話番号を表示させる制御信号を無線部１０４を介して子機１００Ｂに送信する処理を行う。子機１００Ｂの制御部２０８は、無線部２０１を介して受信した制御信号に応じて、表示部２０５に発信元電話番号を表示させる表示処理を行う（ステップＳ１０）。
【０１４７】
ステップＳ１１において、制御部１７０は、外部音声信号が録音されたか否かを判別し、詳細には、留守番電話機能部１３０の外部音声信号検出部１３１により、外部電話機５０Ａから電話回線Ｉ／Ｆ１１０を介して外部音声信号が入力されたか否かを判別し、入力されていないと判別した場合にステップＳ１４の処理に進み、外部音声信号が入力されたと判別した場合には、外部音声信号記憶部１３２（記憶部１５０等）に外部音声信号と現在の着信時刻を示す時刻データとを関連付けて記憶する（ステップＳ１２）。
【０１４８】
ステップＳ１３において、制御部１７０は、変換部１６０により、外部音声信号を規定されたフォーマット形式、例えばＷＡＶＥ形式、ＭＰ３（MPEG Audio Layer 3）形式、ＷＭＡ形式、等に変換して音声データを生成する。
【０１４９】
ステップＳ１４において、制御部１７０は、音声データ、着信時刻データ、発信元電話番号、発信元情報、等を、図６に示したイーサネットＩ／Ｆブロック７００Ｂに転送（出力）するとともに、イーサネットＩ／Ｆブロック７００Ｂにメール送信指示を行う。
【０１５０】
ステップＳ１５において、制御部１７０の制御により、イーサネットＩ／Ｆブロック７００Ｂでは、メールアドレス記憶部７０４（記憶部１５０）に記憶されている予め規定されたメールアドレス１５２宛に、例えば図７（Ａ），７（Ｂ）に示すように、必要に応じて音声データ、着信時刻データ、発信元電話番号、発信元情報、等を含む電子メールを、ＩＰ通信Ｉ／Ｆ１０６を介して電子メールの送信処理を行う（図１３に示したステップＳ１０３）。
【０１５１】
ステップＳ１６において、親機１００Ａの制御部１７０は、上記電子メールを送信した旨を表示部１０７に表示する処理を行うとともに、上記電子メールの送信処理に係る表示を行わせる制御信号を無線部１０４を介して、子機１００Ｂに送信する処理を行う（図１３に示したステップＳ１０４）。子機１００Ｂの制御部２０８は、無線部２０１を介して受信した制御信号に応じて、表示部２０５にその旨を表示させる表示処理を行う。
【０１５２】
メールサーバ装置（例えばＳＭＴＰサーバ兼ＰＯＰサーバ）６０Ａでは、親機１００ＡからＩＰ通信ネットワーク４００を介して受信した電子メールを、メールアドレスにより指定されたユーザのメールボックスに記憶する。
【０１５３】
図１３に示すように、ステップＳ１０５において、例えば、携帯電話５０Ｂ宛に電子メールが送信された場合には、メールサーバ装置６０Ａ（６０）は、基地局４０を介して携帯電話５０Ｂにメール着信を示す通知信号を送信し、メール受信設定に応じて例えば電子メールを携帯電話５０Ｂに送信する。パーソナルコンピュータ等の端末装置５０Ｃ（５０）宛に電子メールが送信された場合には、メールサーバ装置６０Ａ（６０）は、端末装置５０からの要求に応じて、電子メールを端末装置５０に送信する。
【０１５４】
端末装置５０（５０Ｂ，５０Ｃ）の制御部５６は、通信Ｉ／Ｆ５１を介して受信した電子メールに基づいて、着信時刻データ、発信元電話番号、発信元情報、等を表示部５３に表示する処理を行い、スピーカ５２Ａから音声データに応じた発音を行わせる処理を行う。
【０１５５】
図１４は、図１，図２に示したコードレス電話機１００の動作、特に外部電話機５０Ａ（５０）からメール送信を指示する制御信号が送信された場合の動作を説明するための図である。
【０１５６】
図１４に示すように、ステップＳ１１１において、電話回線Ｉ／Ｆ１１０を介して、電子メールの送信指示を示す信号（リモコン信号）を受信した場合、詳細には、外部電話機５０Ａ（端末装置５０）からメール送信を指示する、予め規定されたトーン信号（DTMF：Dual-Tone Multi-Frequency等）を含む音声信号などが電話回線網３００を介して電話回線Ｉ／Ｆ１１０にて受信した場合に、制御部１７０は、表示部１０７にその旨を示す表示処理を行うとともに、その旨を示す表示を行わせる制御信号を無線部１０４を介して、子機１００Ｂに送信する処理を行う（ステップＳ１１２）。子機１００Ｂの制御部２０８は、無線部２０１を介して受信した制御信号に応じて、表示部２０５にその旨を表示させる表示処理を行う。
【０１５７】
ステップＳ１１３において、制御部１７０は、留守番電話機能に係る内容、例えば、留守番電話機能部１３０による外部音声信号や発信元電話番号、発信元情報等を含む電子メールをＩＰ通信Ｉ／Ｆ１０６を介して、規定されたメールアドレス宛に送信する処理を行うとともに、その旨を示す表示を行わせる制御信号を無線部１０４を介して、子機１００Ｂに送信する処理を行う（ステップＳ１１４）。子機１００Ｂの制御部２０８は、無線部２０１を介して受信した制御信号に応じて、表示部２０５にその旨を表示させる表示処理を行う。
【０１５８】
ステップＳ１１５において、メールサーバ装置６０（６０Ａ）は、親機１００ＡからＩＰ通信ネットワーク４００を介して受信した電子メールを、必要に応じて端末装置５０（５０Ｂ，５０Ｃ）に送信する。端末装置５０では、表示部にメールに応じた表示を行い、音声データに応じた発音を行う。この際、メール送信指示を行う端末装置５０と、親機１００Ａからメールを受信する端末装置５０とが同一であってもよく、別の装置であってもよい。
【０１５９】
つまり、上記実施形態では、親機１００Ａは、端末装置５０から電話回線Ｉ／Ｆ１１０を介してトーン信号（ＤＴＭＦ）等による制御信号を受けると、所定の内容の電子メールを規定されたメールアドレス宛に送信することができる。
【０１６０】
また、上記電子メールの送信処理は、上述した実施形態に限られるものではない。例えば、親機１００Ａの制御部１７０は、ＩＰ通信ネットワークインタフェース１０６を介して、携帯電話５０ＢやＰＣ５０Ｃ等のクライアント端末装置５０から電子メールの送信指示を示す信号を受信した場合に、留守番電話機能に係る内容を示す電子メールを送信する処理を行ってもよい。つまり親機１００Ａは、ＰＯＰクライアント機能を有し、外部クライアント端末装置５０から上記送信指示を電子メールにて受信した場合に、留守番電話機能に係る内容を示す電子メールを送信する処理を行ってもよい。
【０１６１】
図１５は、図１，図２に示した親機１００Ａの動作、特に子機１００Ｂからメール送信を指示する制御信号が送信された場合の動作を説明するための図である。
【０１６２】
図１５に示すように、ステップＳ１２１において、例えば子機１００Ｂの制御部２０８は、操作入力部２０６から所定の操作指示信号が入力されると、規定されたメールアドレス宛に電子メールを送信させる制御信号を、無線部２０１を介して親機１００Ａに送信する処理を行う。
【０１６３】
親機１００Ａの制御部１７０は、子機１００Ｂから無線部１０４を介して電子メールの送信指示を示す制御信号を受信した場合、表示部１０７にその旨を示す表示処理を行うとともに、その旨を示す表示を行わせる制御信号を無線部１０４を介して、子機１００Ｂに送信する処理を行う（ステップＳ１２２）。子機１００Ｂの制御部２０８は、無線部２０１を介して受信した制御信号に応じて、表示部２０５にその旨を表示させる表示処理を行う。
【０１６４】
ステップＳ１２３において、制御部１７０は、例えば留守番電話機能に係る内容、詳細には留守番電話機能部１３０による外部音声信号や発信元電話番号、発信元情報等を含む電子メールをＩＰ通信Ｉ／Ｆ１０６を介して、規定されたメールアドレス宛に送信する処理を行うとともに、その旨を示す表示を行わせる制御信号を無線部１０４を介して、子機１００Ｂに送信する処理を行う（ステップＳ１２４）。子機１００Ｂの制御部２０８は、無線部２０１を介して受信した制御信号に応じて、表示部２０５にその旨を表示させる表示処理を行う。
【０１６５】
ステップＳ１２５において、メールサーバ装置６０（６０Ａ）は、親機１００ＡからＩＰ通信ネットワーク４００を介して受信した電子メールを、必要に応じて端末装置５０（５０Ｂ，５０Ｃ）に送信する。端末装置５０では、表示部にメールに応じた表示を行い、音声データに応じた発音を行う。この際、メール送信指示を行う端末装置５０と、親機１００Ａからメールを受信する端末装置５０とが同一であってもよく、別の装置であってもよい。
【０１６６】
つまり、上記実施形態では、親機１００Ａは、子機１００Ｂからメール送信指示を受けると、所定の内容の電子メールを規定されたメールアドレス宛に送信することができる。
【０１６７】
［第２実施形態］
図１６は、本発明の第２実施形態に係るセキュリティシステム１Ａのコードレス電話機１００、ドアホン８１０Ａ、中継器８３０Ａを説明するための構成図である。親機１００Ａに設けられたＩＰ通信Ｉ／Ｆ１０６等の第１実施形態と同じ構成や動作については説明を省略する。
【０１６８】
上述したドアホン８１０Ａは、インタフェース８１１、撮像部８１２、スピーカ８１３Ａ、マイクロフォン８１３Ｂ、スイッチ８１４、センサ８１６、および制御部（ＣＰＵ）８１７、音声回路８１８、ミキシング回路８１９等を有する。
【０１６９】
音声回路８１８は、制御部８１７の制御により、ミキシング回路８１９を介して入力された音声信号をスピーカ８１３Ａに出力して発音を行わせ、マイクロフォン８１３Ｂから入力された外部の音声信号を制御部８１７やミキシング回路８１９に出力する。
【０１７０】
ミキシング回路８１９は、制御部８１７の制御により、音声回路８１８および撮像部８１２に接続されて音声信号と画像、センサ８１６による信号等ののミキシングを行って、そのミキシング信号をＩ／Ｆ８１１を介して出力を行うとともに、後述するように中継器（ターミナルボックス）８３０Ａを介して入力されてくる音声信号の受信を行う。
【０１７１】
中継器８３０Ａは、フィルタ回路８３１、スイッチ回路８３２を有する。
フィルタ回路８３１は、例えば、ドアホン８１０のミキシング回路８１９にデータ線を介して接続され、ミキシング回路８１９から送信されてくるミキシング信号から音声信号と映像信号、センサ信号等を分離するとともにミキシング回路８１９への音声信号の出力を行う。
【０１７２】
スイッチ回路８３２は、フィルタ回路８３１、および電話回線網３００、コードレス電話機の親機１００Ａとの電話回線Ｉ／Ｆ１１０（接続端子Ｔ１，Ｔ２）にそれぞれ接続され、電話回線Ｉ／Ｆ１１０に接続された固定端子をフィルタ回路８３１又は電話回線網３００に切り替えて接続する。このスイッチ回路８３２の切り替えは、例えば不図示の制御回路により制御される。
【０１７３】
上記構成のドアホン８１０Ａ、中継器８３０Ａ、コードレス電話機１００の動作を簡単に説明する。
【０１７４】
ドアホン８１０Ａを動作時には、中継器８３０のスイッチ回路８３２が、フィルタ回路８３１と外部Ｉ／Ｆ１９１とを接続する。
【０１７５】
例えば、ドアホン８１０Ａのスイッチ８１４が操作されると、制御部８１７の制御により、撮像部８１２により撮像された結果に応じた画像データが、ミキシング回路８１９に入力され、マイクロフォン８１３Ｂから入力された音声信号が音声回路８１８を介して、ミキシング回路８１９に入力される。ミキシング回路８１９では、必要に応じて音声信号や画像データ、センサ８１６からの信号をミキシングして、ミキシング信号を生成して、中継器８３０に出力する。
【０１７６】
中継器８３０Ａでは、フィルタ回路８３１が、ドアホン８１０から入力されたミキシング信号に所定のフィルタ処理を施して、ミキシング信号に含まれる画像データやセンサ信号を親機１００Ａの外部Ｉ／Ｆ１９１に出力し、ミキシング信号に含まれる音声信号をスイッチ回路８３２を介して、子機１００Ｂの電話回線Ｉ／Ｆ１１０に出力される。親機１００Ａでは入力されたセンサ信号や画像、音声信号に応じて、本発明に係る処理を行う。
【０１７７】
また、例えば、ドアホン８１０への応答のために、親機１００Ａの電話回線Ｉ／Ｆ１１０を介して音声信号が出力された場合、音声信号が、スイッチ回路８３２、フィルタ８３１を介して、ドアホン８１０Ａに出力され、ミキシング回路８１９、音声回路８１８を介してスピーカ８１３Ａから発音される。
【０１７８】
一方、通常の電話回線網３００を介した通話電話時には、中継器８３０のスイッチ回路８３２では、電話回線網３００と子機１００Ｂの電話回線Ｉ／Ｆ１１０とが接続される。親機１００Ａの制御部１７０では、電話回線Ｉ／Ｆ１１０により、中継器８３０のスイッチ回路８３２を介して電話回線網３００に接続された状態で、通常の通話処理を行う。
【０１７９】
本実施形態に係る親機１００Ａでは、ドアホン８１０Ａに出力する音声信号、またはドアホン８１０Ａに入力する音声信号に係る処理を、親機１００Ａの電話回線Ｉ／Ｆ１１０を介して行うことにより、より簡単な回路構成で本発明に係る処理を行うことができる。
【０１８０】
以上説明したように、本発明に係るコードレス電話機１００は、留守番電話機能を備える親機１００Ａと、無線通信により親機１００Ａを介して通話可能な子機とを有し、親機１００Ａは、子機１００Ｂと無線通信を行う無線部１０４と、電話回線を介して通信を行う電話回線Ｉ／Ｆ１１０と、所定の伝送フォーマットでデータをネットワーク伝送可能なＩＰ通信Ｉ／Ｆ１０６と、少なくとも外部装置（ドアホン８１０やドアホンモニタ８２０等）に設けられたセンサ８１６，８２６による検出結果に応じた信号が入力される外部Ｉ／Ｆ１９１と、外部Ｉ／Ｆ１９１を介して外部装置から入力された信号を検出する検出部１９０と、留守番電話機能が有効時に、検出部１９０の検出結果に基づいて、予め規定されたメールアドレス宛に、前記検出結果に対応した電子メールをＳＭＴＰによりＩＰ通信Ｉ／Ｆ１０６を介して送信する処理を行う制御部１７０とを設けたので、簡単な構成により、電話回線を使用することなく、外部装置による検出結果を、例えば遠隔地にいるユーザに、電子メール受信機能を備える端末装置５０等で簡単に確認させることができる。
【０１８１】
また、ＩＰ通信Ｉ／Ｆ１０６としては、ハードウェア固有の物理アドレスを示す識別情報を有し、当該識別情報を基に搬送波感知多重アクセス／衝突検出方式により通信制御を行うイーサネットＩ／Ｆ１０６Ａを採用することが好ましい。例えば、一般家庭におけるブロードバンド化が進み、家庭内や会社でのインターネット等の接続手段が従来のダイヤルアップモデムによるものからＡＤＳＬ、ＦＴＴＨによるものに移行してきているので、電話機にイーサネットＩ／Ｆを設け、インターネット接続をすることに、大きな障害はなくなりつつあると考えられる。イーサネットＩ／Ｆを付加するコストについても、従来に比べると安くなっている。特にデジタル方式のコードレス電話機の場合には、チップセットに機能内蔵してもよい。また、従来のダイヤルアップ接続の場合、その都度課金されるが、常時接続の場合には基本料金のみでメール送信を行うことができる。
【０１８２】
また、制御部１７０は、イベント毎に規定されたメールアドレス宛に、検出されたイベントを報知する電子メールを送信することで、各イベント毎に規定された、ユーザ等に管理される端末装置５０宛に電子メールを送信することができる。
【０１８３】
詳細には、例えば例えばドアホンにより不審者が検出された場合には、警備会社により管理される端末装置５０宛に電子メールを送信したり、ドアホンモニタなどにガス検出センサを設けた場合に、そのセンサによりガス漏れなどが検出された場合に、ガス管理会社により管理される端末装置５０宛に電子メールを送信したり、ドアホンモニタなどに温度センサを設けた場合に、そのセンサにより火災などの要因により規定温度より高い高温が検出された場合に、警備会社により管理される端末装置５０宛に電子メールを送信したり、ドアホンにより来客が検出された場合に、ユーザにより管理される携帯電話５０Ｂ（５０）に電子メールを送信することができ、利便性が向上する。
【０１８４】
また、ドアホン８１０は撮像部８１２と、撮像部８１２により撮像された画像を親機１００Ａに送信するＩ／Ｆ８１１とを有し、親機１００Ａの制御部１７０は、ドアホン８１０から受信した画像を添付した電子メールを、ＳＭＴＰによりＩＰ通信Ｉ／Ｆ１０６を介して送信する処理を行うので、例えば遠隔地にいるユーザに、電子メール受信機能を備える端末装置５０等で、ドアホン８１０の撮像部８１２により撮像された画像を簡単に確認させることができる。
【０１８５】
また、子機１００Ｂ、親機１００Ａと無線通信を行う無線部２０１と、センサ２１０やイベント検出部２０９による検出結果に応じた信号を無線部２０１を介して親機１００Ａに送信する処理を行う制御部２０８とを有し、親機１００Ａの制御部１７０は、無線部１０４を介して子機１００Ｂから受信したセンサ２１０やイベント検出部２０９の検出結果に基づいて、予め規定されたメールアドレス宛に、前記検出結果に対応した電子メールをＳＭＴＰによりＩＰ通信Ｉ／Ｆ１０６を介して送信する処理を行うので、例えば遠隔地にいるユーザに、電子メール受信機能を備える端末装置５０等で、子機１００Ｂによるセンサによる異常検出信号やイベント検出部２０９により撮像された画像等を簡単に確認させることができる。
【０１８６】
また、子機１００Ｂは、親機１００Ａと無線通信を行う無線部２０１と、無線部２０１を介して親機１００Ａから受信した制御信号に応じた表示を行う表示部２０５を有し、親機１００Ａの制御部１７０は、留守番電話機能が有効時に、上述した本発明に関わる処理に係る表示を行わせる制御信号を無線部１０４を介して子機１００Ｂに送信する処理を行うので、子機１００Ｂにより、親機１００Ａの留守番電話機能に係る処理を簡単に確認することができる。
【０１８７】
また、親機１００Ａの制御部１７０は、電話回線Ｉ／Ｆ１１０を介して、本発明に係る電子メールの送信指示を示す信号を受信した場合に、本発明に係る処理内容を示す電子メール、例えば留守番電話機能に係る内容を示す電子メールを送信する処理を行うので、いわゆるユーザは例えばトーン信号発信機能を備えた携帯電話５０Ｂなどで、電話回線を介して、親機１００Ａに電子メールの送信指示を行うことができる。
【０１８８】
なお、本発明は上述した実施形態に限られるものではない。例えば上記実施形態を組み合わせて実施してもよい。
【０１８９】
また、制御部１７０は、電話回線Ｉ／Ｆ１１０を介して受信したデータに係る音声データ又は画像データを、ＩＰ通信Ｉ／Ｆ１０６を介して所定のプロトコル、例えばＦＴＰプロトコルなどによりサーバ装置６０に送信して、当該サーバ装置６０に登録する処理を行ってもよい。サーバ装置６０は、端末装置５０からの要求に応じて、登録されたデータを要求元の端末装置５０に送信してもよい。
【０１９０】
また、上述した実施形態では、ドアホン８１０やドアホンモニタ８２０等の外部装置、子機１００Ｂに、撮像センサ、人感センサ、温度センサ、ガス検出センサ、スイッチ等のセンサを設けたが、この形態に限られるものではない。例えばその他の機能を備えるセンサを設けてもよい。
【０１９１】
また、外部装置や子機１００Ｂに設けたセンサを、親機１００Ａに設けてもよい。
【図面の簡単な説明】
【０１９２】
【図１】本発明の第１実施形態に係るコードレス電話機１００を採用したセキュリティシステム１を説明するための構成図である。
【図２】図１に示したセキュリティシステム１の詳細な構成図である。
【図３】図１，図２に示したコードレス電話機１００が電話回線網３００，ＩＰ通信ネットワーク４００に接続する接続形態を説明するための図である。（Ａ）は親機１００Ａが通信装置４６を介してＩＰ通信ネットワーク４００と接続される形態を説明するための図であり、（Ｂ）はコードレス電話機１００がｘＤＳＬ方式により電話回線網３００およびＩＰ通信ネットワーク４００に接続する接続形態を説明するための図であり、（Ｃ）はコードレス電話機１００がＩＳＤＮ回線を利用した場合の接続形態を説明するための図であり、（Ｄ）はコードレス電話機１００がＦＴＴＨを利用した場合の接続形態を説明するための図であり、（Ｅ）はコードレス電話機１００がＣＡＴＶを利用した場合の接続形態を説明するための図である。
【図４】図１，図２に示したコードレス電話機１００に記憶されるデータの一実施形態を説明するための図である。詳細には（Ａ）は図１，図２に示した親機１００Ａの記憶部１５０に記憶されるデータの一実施形態を説明するための図であり、（Ｂ）は電話帳データ１５３の一具体例を説明するための図である。
【図５】図１，図２に示したコードレス電話機１００の親機１００Ａの記憶部１５０に記憶されるデータの一実施形態を説明するための図である。詳細には（Ａ）は記憶部１５０に記憶されるテーブル１５２Ａ（１５２）の一実施形態を説明するための図であり、（Ｂ）は記憶部１５０に記憶されるテーブル１５１０の一実施形態を説明するための図である。
【図６】図１，図２に示したコードレス電話機１００の機能を説明するための機能ブロック図である。
【図７】図１，図２に示したコードレス電話機１００がＩＰ通信Ｉ／Ｆ１０６を介して送信するデータの一実施形態を説明するための図である。詳細には（Ａ）は図１，図２に示した親機１００ＡがＩＰ通信Ｉ／Ｆ１０６を介して送信するデータ４０１の一実施形態を説明するための図であり、（Ｂ）は（Ａ）に示したデータ４０１のうちの送信データ４０７を詳細に説明するための図である。
【図８】図１，図２に示したコードレス電話機１００の動作、特に親機１００Ａの動作を説明するためのフローチャートである。
【図９】図１，図２に示したコードレス電話機１００、ドアホン８１０、メールサーバ装置６０Ａ、端末装置５０等の動作の一実施形態を説明するための図である。
【図１０】図１，図２に示した親機１００Ａと子機１００Ｂの機能を説明するための機能ブロック図である。
【図１１】図１，図２，図１０に示した親機１００Ａ、子機１００Ｂ、メールサーバ装置６０Ａ、端末装置５０等の動作の一実施形態を説明するための図である。
【図１２】図１，図２に示したコードレス電話機１００の動作、特に親機１００Ａの動作を説明するためのフローチャートである。
【図１３】図１，図２に示したコードレス電話機１００、外部電話機５０Ａ、メールサーバ装置６０Ａ、端末装置５０等の動作の一実施形態を説明するための図である。
【図１４】図１，図２に示したコードレス電話機１００の動作、特に外部電話機５０Ａ（５０）からメール送信を指示する制御信号が送信された場合の動作を説明するための図である。
【図１５】図１，図２に示した親機１００Ａの動作、特に子機１００Ｂからメール送信を指示する制御信号が送信された場合の動作を説明するための図である。
【図１６】本発明の第２実施形態に係るセキュリティシステム１Ａのコードレス電話機１００、ドアホン８１０Ａ、中継器８３０Ａを説明するための構成図である。
【符号の説明】
【０１９３】
１  セキュリティシステム
５０  端末装置
６０  サーバ装置
６０Ａ  メールサーバ装置
１００  コードレス電話機
１００Ａ  親機
１００Ｂ  子機
１１０  電話回線Ｉ／Ｆ
１０２  通話回路
１０２Ａ  スピーカ
１０２Ｂ  マイクロフォン
１０３  ＤＳＰ
１０４  無線部
１０５  アンテナ
１０６  通信インタフェース
１０６Ａ  イーサネットＩ／Ｆ
１０７  表示部
１０８  操作入力部
１１１  検波回路
１１２  回線制御回路
１１３  着信検出部（リング回路）
１２０  留守番電話機能設定スイッチ
１３０  留守番電話機能部
１３１  外部音声信号検出部
１３２  外部音声信号記憶部
１４０  発信元電話番号検出部
１５０  記憶部（メモリ）
１５１  プログラム
１６０  変換部
１７０  制御部（ＣＰＵ）
１９０  検出部
１９１  外部インタフェース（Ｉ／Ｆ）
１９２  外部イベント信号検出部
１９３  外部イベント信号記憶部
２０１  無線部
２０２  アンテナ
２０３  ＤＳＰ
２０４Ａ  マイクロフォン
２０４Ｂ  スピーカ
２０５  表示部
２０６  操作入力部
２０７  記憶部（メモリ）
２０８  制御部
２０９  イベント検出部（撮像部）
２１０  センサ
３００  電話回線網
４００  ＩＰ通信ネットワーク
７００Ａ  コードレス電話メインブロック
７００Ｂ  通信Ｉ／Ｆブロック
７０１  ＴＣＰ／ＩＰ制御部
７０２  ＳＭＴＰ制御部
７０３  メール送信アプリケーション
７０４  メールアドレス記憶部
８１０  ドアホン（外部装置）
８２０  ドアホンモニタ
８３０  中継器（ターミナルボックス）
【図１】
2008042413.tif 000003
【図２】
2008042413.tif 000004
【図３】
2008042413.tif 000005
【図４】
2008042413.tif 000006
【図５】
2008042413.tif 000007
【図６】
2008042413.tif 000008
【図７】
2008042413.tif 000009
【図８】
2008042413.tif 000010
【図９】
2008042413.tif 000011
【図１０】
2008042413.tif 000012
【図１１】
2008042413.tif 000013
【図１２】
2008042413.tif 000014
【図１３】
2008042413.tif 000015
【図１４】
2008042413.tif 000016
【図１５】
2008042413.tif 000017
【図１６】
2008042413.tif 000018